Podtech/llm-jp-corpus-v4-ja_patent huggingface dataset:
(57)【要約】      （修正有）【課題】既存の床にセメントや接着剤を用いずに、新しく着脱可能な床面構成を形成する。【解決手段】既存のコンクリートの床面に３種の固定具３Ａ、３Ｂ、３Ｃを適度な配置で互いに組み合わされるように設置し、そこに、複数の矩形で、規格化されたタイルや大理石等の床板４が規律正しく所定の目地間隔で互いに載置・連結結合されて、大小様々な矩形の新しい床面構成を構築する。【選択図】図１
2009197564.tif 000002
【特許請求の範囲】
【請求項１】
建築基材上に、複数の矩形の床板を、所定の目地間隔で、規律正しく配列し、床面仕上を構成する固定具であって、その形状は略矩形の底盤であり、その外辺の二側面にＬ字状で上向きに外壁を形成しており、該底盤上に、該複数の矩形の床板の一角部が搭載され床面構成の一部を構築することを特徴とする固定具。
【請求項２】
請求項１に記載の固定具において、その形状は略矩形の底盤であり、その外辺の一側面に外壁と、その中央から、該底盤を左右均等に二分割した隔壁が共に上向きでＴ字状を形成しており、該底盤上に、該複数の矩形の床板の一角部が搭載され床面構成の一部を構築することを特徴とする固定具。
【請求項３】
請求項１に記載の固定具において、その形状は略矩形の底盤であり、該底盤の中心より各外辺の中央に向かって均等に四分割した隔壁が上向きで十字状を形成しており、該底盤上に、該複数の矩形の床板の一角部が搭載され床面構成の一部を構築することを特徴とする固定具。
【発明の詳細な説明】
【技術分野】
【０００１】本発明は、建築基材上へ複数の矩形の床板を集結し連結して、規律正しく配列する固定具であり、主としてコンクリート構造の床面仕上として使用される。
【背景技術】
【０００２】特開２００４−１１６０００号公報にはコンクリート床面に接着性のシートを貼込その上に複合床材を着脱可能に載置したもので、その使用される複合床材の材質はコンクリート床面になじみ易く、弾性に富んで、更に密着性に良い材質の物に限られている。
【特許文献１】特開２００４−１１６０００号公報
【発明の開示】
【発明が解決しようとする課題】
【０００３】セメントや接着剤など一切使用せず、使用される床板の材質や性質も問わず、更に着脱可能な見栄の良い床面仕上のシステムを構築することを目的とする。
【課題を解決するための手段】
【０００４】本発明は、上記課題を一気に解決した固定具を提供する。
請求項１は、建築基材上に、複数の矩形の床板を、所定の目地間隔で、規律正しく配列し、床面仕上を構成する固定具であって、その形状は略矩形の底盤であり、その外辺の二側面にＬ字状で上向きに外壁を形成しており、該底盤上に、該複数の矩形の床板の一角部が搭載され床面構成の一部を構築することを特徴とする固定具。【０００５】請求項２は、請求項１に記載の固定具において、その形状は略矩形の底盤であり、その外辺の一側面に外壁と、その中央から、該底盤を左右均等に二分割した隔壁が共に上向きでＴ字状を形成しており、該底盤上に、該複数の矩形の床板の一角部が搭載され床面構成の一部を構築することを特徴とする固定具。【０００６】請求項３は、請求項１に記載の固定具において、その形状は略矩形の底盤であり、該底盤の中心より各外辺の中央に向かって均等に四分割した隔壁が上向きで十字状を形成しており、該底盤上に、該複数の矩形の床板の一角部が搭載され床面構成の一部を構築することを特徴とする固定具。
【発明の効果】
【０００７】セメントや接着材等を使用せず、乾式で床面仕上を構築出来る。【０００８】着脱が可能なため、下地コンクリート面の水洗いが出来、又敷き込まれた床板は日光や外気に当てて乾燥させることがることが出来、衛生的で健康に適した床面仕上を提供する。
【発明を実施するための最良の形態】
【０００９】本発明は、既存のコンクリートの床面を新しく床面仕上を構成する固定具であり、その固定具は、錆び難い硬質樹脂系か金属系で製作されており、３種の型があって、夫々の底盤の裏面に、ポリウレタン系の厚さ２ｍｍ位の、寸法合わせした接着性のシートを貼り付け、該コンクリートの床面の汚れを綺麗に清掃の上、複数の該３種の固定具を適度な配置で互いに組み合わされるように設置し、そこに、複数の矩形で、規格化されたタイルや大理石等の床板が載置され、連結結合されて、大小様々な矩形の新しい床面構成を構築することを可能にした。【００１０】図１に示すように、該固定具３Ａは、床面構成の四隅部に設置され、図３に示すようにその形状は略矩形の底盤であり、外辺の二側面にＬ字状で上向きに外壁を形成しており、該底盤の厚みは１〜２ｍｍ、幅及び奥行共４０〜５０ｍｍ程度、該外壁の高さは５〜６ｍｍ、厚みは３〜６ｍｍ、が適切である。【００１１】図１に示すように、該固定具３Ｂは、床面構成の四隅部を除く外周部に設置され、図４に示すようにその形状は略矩形の底盤であり、その外辺の一側面に外壁と、該底盤を左右均等に二分割した隔壁が共に上向きでＴ字状を形成しており、該底盤の厚みは１〜２ｍｍ、幅は５０〜６０ｍｍ、奥行は４０〜５０ｍｍ、該外壁及び隔壁の高さは５〜６ｍｍ、厚みは３〜６、が適切である。【００１２】図１に示すように、該固定具３Ｃは、床面構成の外周部に面しない箇所に設置され、図５に示すようにその形状は略矩形の底盤であり、該底盤の中心より各外辺の中央に向かって均等に四分割した隔壁が上向きで十字状を形成しており、該底盤の厚みは１〜２ｍｍ、幅及び奥行共５０〜６０ｍｍ、該隔壁の高さは５〜６ｍｍ、厚みは３〜６ｍｍ、が適切である。
【図面の簡単な説明】
【００１３】
【図１】床面構成、平面図
【図２】固定具の組み合わせ、図
【図３】固定具のＡ型、平面図
【図４】固定図のＢ型、平面図
【図５】固定具のＣ型、平面図
【図６】床面構成、断面詳細図
【符号の説明】
【００１４】１  既存床コンクリート
２  接着性シート
３  固定具
４  新規床板
【図１】
2009197564.tif 000003
【図２】
2009197564.tif 000004
【図３】
2009197564.tif 000005
【図４】
2009197564.tif 000006
【図５】
2009197564.tif 000007
【図６】
2009197564.tif 000008
(57)【要約】【課題】  お墓の骨蓋石をどかすとき、安全かつ楽に骨蓋石をどかすことが出来るように骨蓋石にスライドする金具を設けた、骨蓋をスライドさせる金具を提供する。【解決手段】  骨蓋石（１）の左右に、ステンレス製の金具（２）を固定しこのステンレス製の金具（２）の下部には骨蓋石（１）をスライドさせるための車輪（３）を設け、この金具を外側に倒して使用する際に固定出来るストッパー（４）とそのストッパーを差し込む穴（５）を設けるた骨蓋石（１）をスライドさせる金具を特徴とする。【選択図】図１
2009197565.tif 000002
【特許請求の範囲】
【請求項１】
お墓の骨蓋石（１）に、骨蓋石（１）をスライドさせる金具（２）を設けた、骨蓋石（１）をスライドさせる金具。
【請求項２】
骨蓋石（１）をスライドさせる金具（２）は、てこの原理で骨蓋石（１）を持ち上げ、車輪（３）によって骨蓋石（１）をスライドさせる金具。
【発明の詳細な説明】
【技術分野】
【０００１】  この発明は、お墓の骨蓋石に骨蓋石をスライドさせる金具を取り付けた骨蓋石をスライドさせる金具に関するものである。
【背景技術】
【０００２】  従来、お墓の骨蓋石は石だけで出来ており、スライドさせる金具等は付いていなかった。
【発明の開示】
【発明が解決しようとする課題】
【０００３】  これは、次のような欠点があった。
従来、お墓の骨蓋部分は石で出来ており納骨の際にはその骨蓋石を手でどけなければならないがとても重く、指をつぶす等の危険性があった。本発明は、以上のような欠点をなくすためになされたものである。
【課題を解決するための手段】
【０００４】  お墓の骨蓋石（１）に骨蓋石をスライドさせる金具（２）を設け骨蓋石をスライドさせる金具（２）の下部には骨蓋石（１）をスライドさせる車輪（３）を設け、この金具を外側に倒して使用する際に固定出来るストッパー（４）とそのストッパーを差し込む穴（５）を設ける。
本発明は、以上の構成よりなる骨蓋石をスライドさせる金具である。
【発明の効果】
【０００５】  骨蓋石をスライドさせるので、少しの力で楽に骨蓋石を開閉でき、骨蓋石を手で持ち上げたりしなくて良いため、石で指をつぶす等の危険性も少なくなる。
又、新しいお墓だけでなく古いお墓にも本発明品は取り付けることが出来るので、新しくお墓を建てる方だけではなく、すでにお墓を建てている方にも使用して頂けるので、より多くの人に使用して頂ける。
【発明を実施するための最良の形態】
【０００６】  以下、本発明を実施するための最良の形態について説明する。
骨蓋石（１）の左右に、ステンレス製の金具（２）を固定する。
このステンレス製の金具（２）の下部には骨蓋石をスライドさせるための車輪（３）を設ける。このステンレス製の金具（２）を外側に倒して使用する際に固定出来るストッパー（４）とそのストッパーを差し込む穴（５）を設ける。
本発明は、以上のような構造である。
これを使用するときは、ステンレス製の金具（２）を外側に倒すと、車輪（３）が骨蓋石（１）を持ち上げた状態になり、この車輪（３）によって骨蓋石（１）を左右に楽に動かすことが出来る。
これは、てこの原理で石を少しだけ持ち上げるので重たい石も少しの力で簡単に持ち上げて左右にスライドする事が出来る。
また、てこの原理で石を持ち上げ車輪（３）でささえているときには石が不安定になるので、片側のステンレス製の金具（２）には、ストッパー（４）を差し込む穴（５）をあけておく。こうすることで、ステンレス製の金具（２）を外側に倒した状態で差し込む穴（５）にストッパー（４）を差し込めば、ステンレス製の金具（２）を外側に倒した状態で維持できるようになる。こうすることで、片側のステンレス製の金具（２）は、外側に倒れ車輪（３）で骨蓋石（１）を持ち上げた状態で固定される。逆側のステンレス製の金具（２）はストッパー（４）は無く、手で外側に倒したままの状態で使用するため、必要とする位置まで骨蓋石（１）をずらしたら、ストッパー（４）の無いステンレス製の金具（２）を手で外側に倒すのをやめて元の位置に戻せば、車輪（３）も元の位置に戻り骨蓋石（１）の片側の下面がつくため、ストッパーの役割になり、不意に骨蓋石（１）が動く危険性が無くなる。
【図面の簡単な説明】
【０００７】
【図１】  本発明の設置時の斜視図である。
【図２】  本発明の使用時の斜視図である。
【図３】  本発明の斜視図である。
【図４】  本発明の外側に倒した時の斜視図である。
【符号の説明】
【０００８】  １  骨蓋石
２  金具
３  車輪
４  ストッパー
５  差し込む穴
【図１】
2009197565.tif 000003
【図２】
2009197565.tif 000004
【図３】
2009197565.tif 000005
【図４】
2009197565.tif 000006
(57)【要約】【課題】密閉型圧縮機用アキュムレータにおいて、アキュムレータ内管内での冷媒の流動抵抗が大きいことから圧縮機の性能低下を招いた。本発明は上記課題に鑑みてなされたものであり、内管を流れる冷媒について抵抗を低減することにより、高効率な密閉型圧縮機を提供することを目的とする。【解決手段】密閉型の圧縮機において、アキュムレータの内管の径が密閉容器外部で縮小する構造とすることにより、冷媒の流動抵抗が低減し圧縮機の高性能化を実現する。【選択図】図１
2009197622.tif 000002
【特許請求の範囲】
【請求項１】
上蓋と下蓋と胴シェルによって構成される密閉容器と、前記密閉容器の上端部中央を貫通する冷媒吸入管と、前記密閉容器の下端部を貫通して密閉容器内部に向かって直立する内管と、前記冷媒吸入管と内管との間に配置された仕切板と、前記仕切板に設けられた複数の冷媒流通孔とを有する圧縮機用アキュムレータであって、内管の径が密閉容器外部で縮小する構造を特徴とする圧縮機用アキュムレータ。
【請求項２】
内管の径が密閉容器内部で縮小する構造を特徴とする請求項１記載の圧縮機用アキュムレ−タ。
【請求項３】
塩素を含まないＨＣＦＣやＨＦＣ等を冷媒とした請求項１記載の圧縮機用アキュムレータ。
【請求項４】
二酸化炭素やアンモニア等の自然冷媒を冷媒とした請求項１記載の圧縮機用アキュムレータ。
【発明の詳細な説明】
【技術分野】
【０００１】
本発明は、空気調和器や冷蔵庫等の冷凍機器に用いられる圧縮機用として使用されるロータリー  ２ピストン用アキュムレータに関するものである。
【背景技術】
【０００２】
従来、密閉圧縮機用アキュムレータは、上蓋と下蓋と胴シェルによって構成される密閉容器と、前記密閉容器の上端部中央を貫通する冷媒吸入管と、前記密閉容器の２箇所の下端部を貫通して密閉容器内部に向かってそれぞれ直立する内管と、前記冷媒吸入管と内管との間配置された仕切板と、複数の冷媒流通孔とを有した前記仕切板によって構成されている。以上の構成において、２箇所の内管の径は密閉容器内外で同じである（例えば、特許文献１参照）。
【特許文献１】特開２００５−１８８２９５号公報
【発明の開示】
【発明が解決しようとする課題】
【０００３】
しかしながら、前記従来の方法では、密閉型圧縮機用アキュムレータにおいて、アキュムレータ出口管を流れる冷媒には管路として内管断面積と圧力損失による抵抗が生じ圧縮機の性能低下を招いてしまう。
【０００４】
本発明は上記課題に鑑みてなされたものであり、内管を流れる冷媒について抵抗を低減することにより、高効率な密閉型圧縮機を提供することを目的とする。
【課題を解決するための手段】
【０００５】
前記従来の課題を解決するために、アキュムレータの内管の径が密閉容器外部で縮小する構造にしたものである。これによって内管を流れる冷媒の抵抗を低減し圧縮機の性能向上を実現する。
【発明の効果】
【０００６】
本発明の圧縮機用アキュムレータは、内管内部での冷媒の流れの抵抗を低減することにより、高性能な圧縮機を提供することができる。
【発明を実施するための最良の形態】
【０００７】
本発明は、上蓋と下蓋と胴シェルによって構成される密閉容器と、前記密閉容器の上端部中央を貫通する冷媒吸入管と、前記密閉容器の下端部を貫通して密閉容器内部に向かって直立する内管と、前記冷媒吸入管と内管との間配置された仕切板と、前記仕切板に設けられた複数の冷媒流通孔とを有する圧縮機用アキュムレータにおいて内管の径が密閉容器外部で縮小する構造とすることにより、内管内部を流れる冷媒の流動抵抗が低減され、圧縮機の高性能化を実現することが出来る。
【０００８】
以下、本発明の実施の形態について、図面を参照しながら説明する。なお、以下に記載する実施の形態により本発明が限定されるものではない。
【０００９】
（実施の形態１）
図１において、内管５，６は直管７，８と曲管９，１０によって構成される。曲管９，１０の径が直管７，８の径に比べ小さいことを特徴としている。
【００１０】
曲管９，１０の径が小さいことから、管路の断面積を縮小し、冷媒の流動抵抗が低減し、圧縮機の高性能化を実現することが出来る。
【産業上の利用可能性】
【００１１】
以上のように、本発明における多気筒圧縮機用アキュムレータは、その大小に拘らず、あらゆる密閉形電動圧縮機のアキュムレータに適用できる。
【図面の簡単な説明】
【００１２】
【図１】本発明第１の実施形態における圧縮機用アキュムレータを示す断面図
【図２】従来の実施形態における圧縮機用アキュムレータを示す断面図
【符号の説明】
【００１３】
１  アキュムレータ
２  上蓋
３  胴シェル
４  下蓋
５，６  内管
７，８  直管
９，１０  曲管
１１  吸入接続管
【図１】
2009197622.tif 000003
【図２】
2009197622.tif 000004
(57)【要約】      （修正有）【課題】外反母趾の痛みを改善したいとき、始終装着できるように、中敷と一体となった靴下を提供する。【解決手段】親指と人差し指の間に丸みを帯びた三角柱のクッションを設けた土手のある中敷１の土踏まず２と中足骨３にクッションを設け、またこの中敷の裏面に靴下との接着強度を上げるための小さな突起を設けた中敷１と一体になった靴下７を特徴とする。【選択図】図３
2009197377.tif 000002
【特許請求の範囲】
【請求項１】
中敷に足裏の土踏まず、中足骨、親指と人差し指の股の部分にクッションを設け靴下を装着した、靴が履ける外反母趾による痛み軽減対策中敷付き靴下。
【発明の詳細な説明】
【技術分野】
【０００１】  この発明は、外反母趾による痛みの軽減を目的としてクッション付き中敷を設けた靴が履ける靴下に関するものである。
【背景技術】
【０００２】従来、外反母趾対策用中敷は、靴を履いている時のみ有効で、外反母趾用靴下は、靴を履く時には外さなければならなかった。また外反母趾矯正具は、親指の曲がりを矯正させるため親指、小指を固定し甲などにマジックテープなどできつく巻きつけていた。ゆえに親指、小指、甲の部分が圧迫され、かさばっていた。
【発明の開示】
【発明が解決しようとする課題】
【０００３】  これは、次のような欠点があった。
従来、外反母趾による痛みをとるための矯正具は、親指の曲がりを矯正するために親指を固定した状態で親指を正常な位置まで引っ張りマジックテープやベルト状のもので甲に固定させていた。このことにより親指を無理な位置まで引っ張り親指の間接を脱臼したり親指の股がかぶれたりしていた。また足裏を固定させるためプラスチックを使用している矯正具は、歩くたびにその矯正具を外さなければならず不便であった。また布製の矯正具は、始終装着はできるが、女性の場合ストッキングなどを履き、パンプスなどの靴を履くと矯正具が丸見えになり見た目も悪く不便であった。布製の矯正具はいろいろ紹介されているが、それもマジックテープなどできつく巻きつけるため親指と人差し指の間の股に布が線として当たり、長時間装着していると皮膚が、ただれ、布が食い込み、かゆみが生じる不便があった。また外反母趾が悪化すると、親指が内側に回転することで中足骨の裏にある種子骨が足裏に飛び出し、中足骨が地面に着くと大変な痛みがあり、足裏全体で地面を捉えることができない。そのことにより小指で歩こうとするため不自然な歩き方になり足首を痛め、更に腰痛にまでなってしまう。このような時、矯正具を長時間装着できないことは、痛みに耐えながら歩行することとなり不便であった。
本発明は、以上のような欠点をなくすためになされたものである。
【課題を解決するための手段】
【０００４】  親指と人差し指の間に三角柱のクッションを設けた土手があり裏面に小さな突起を設けた中敷（１）に土踏まず（２）の部分と中足骨（３）の部分にクッションを設け靴下（７）に装着する。
本発明は、以上の構成よりなる靴が履ける外反母趾による痛み軽減対策中敷付き靴下である。
【発明の効果】
【０００５】  足には、骨が形成する３つのアーチがあり、体重は３本のアーチによって支えられている。この靴下は、中敷（１）の土踏まず（２）と中足骨（３）にクッションを設けることにより縦のアーチと横のアーチを保持し、また親指と人差し指の間（４）に丸みを帯びた三角柱のクッションを設け靴下（７）と一体にすることで、適度に親指と人差し指の間を開くことになり無理なく親指の曲がりを改善することができ、親指と甲を圧迫することなく足裏に出っ張った中足骨を正常な位置に戻すことができる。また靴下と一体にすることにより足全体を固定でき足裏全体が地面を捉え、痛みが軽減し歩行が楽にできる。靴下にすることで長時間装着でき、また外出時にも装着できるため足裏に出っ張った中足骨が正常な位置に戻った状態を維持しながら、足裏全体で自然な歩行ができる。足裏全体で歩行をすることにより足首の痛み、腰痛の改善にも繋がる。親指と人差し指の間（４）のクッションの部分は丸みを帯び親指や小指を固定しないで、親指と人差し指の間を適度に開くことになり、締め付け感や圧迫感がなく、ただれやクッションが股に食い込むことがない。靴下（７）と一体にすることは、一日中始終装着でき外反母趾の痛みを軽減できるとともに、外反母趾の改善、外反母趾により不自然な歩行からくる足首の痛みや腰痛の改善にも繋がる。靴下と一体のため女性の場合ストッキングを履くことができ、パンプスなどの靴を履いても外見上美しい。また中敷、靴下ともに洗うことができ清潔に使用できる。
【発明を実施するための最良の形態】
【０００６】  以下、本発明を実施するための最良の形態について説明する。
洗えるウレタンフォーム製の中敷に親指と人差し指の間（４）にクッション高さ２センチほどの丸みを帯びた三角柱を設ける。（１）その際まわりの縁を５ミリほどの土手（５）を設け足に添わせるようにする。中敷（１）の土踏まず（２）の部分に土踏まずを形成できるだけのクッションを設ける。中足骨（３）の部分に薄くクッションを設ける。中敷（１）の裏面（６）に靴下との接着強度を上げるための小さな突起を形成させる。サポート力のある
靴下（７）をこの中敷（１）に装着させる。
本発明は、以上のような構造である。
これを使用するときは、素足に靴下として装着する。女性の場合パンプスなどの靴を履くときには、指だけを覆った靴下に中敷（１）を装着し靴を履けば、外見上靴下は見えない。また中敷靴下ともに洗うことができ、清潔に使用できる。
【図面の簡単な説明】
【０００７】
【図１】本発明の中敷正面図
【図２】本発明の側面図
【図３】本発明の斜面図
【図４】本発明の中敷裏面正面図
【符号の説明】
【０００８】１  親指と人差し指の間に丸みを帯びた三角柱のクッションを設けた中敷
２  土踏まず
３  中足骨
４  親指と人差し指の間
５  ５ミリほどの土手部分
６  中敷（１）の裏面
７  靴下
【図１】
2009197377.tif 000003
【図２】
2009197377.tif 000004
【図３】
2009197377.tif 000005
【図４】
2009197377.tif 000006
(57)【要約】【課題】    地球温暖化、オゾン層破壊が問題になっている。【解決手段】塩水を電気分解することで水を水素，酸素に分解し、熱を吸収する。結果、酸素はオゾン層修復に、水素は新エネルギーに一部利用し、残りは貯蔵する。【選択図】図３
2009197335.tif 000002
【特許請求の範囲】
【請求項１】
塩水を電気を分解することで水を酸素，水素に分解し更に熱を吸収するシステム。
【発明の詳細な説明】
【技術分野】
【０００１】本発明は、地球温暖化対策、及びオゾン層修復に関するものである。
【背景技術】
【０００２】「オゾン層破壊の原因はフロンガスである」とする定説が唱えられている。【０００２】「地球温暖化の原因は二酸化炭素（温室効果ガス）である。」とする定説が唱えられている。
【発明の開示】
【発明が解決しようとする課題】
【０００３】地球温暖化及び、オゾン層破壊の原因は地球上の酸素不足と考え、酸素を増やす方法を考える。
図１（酸素が十分に有る場合）
▲１▼オゾンより軽い酸素は上昇し、▲２▼酸素は上空の強い紫外線でオゾンに変化する。▲３▼オゾンは酸素より重いため下降する。▲４▼下降したオゾンは、弱い紫外線の下では不安定になり、▲１▼酸素に変化する。
以上が正常なオゾン層生成サークルと推定出来る。
図２（酸素が欠乏している場合）
▲５▼酸素減少のため酸素に替わり▲９▼オゾンより軽い二酸化炭素が上昇
▲６▼酸素が供給されない為、オゾン生成が出来ない。
▲７▼以前からあったオゾンは二酸化炭素より重いため下降し▲８▼酸素に変化する。
▲８▼で発生した酸素は化石燃料の燃焼で使用され、更に二酸化炭素が増える。
以上がオゾン層減少の原因と推測できる。
その結果、オゾン層が底尽きた時点で地上の酸素濃度減少が起こると推測される。
参考
各元素の１モル当たり重量
酸素  ３２ｇ      オゾン  ４８ｇ          二酸化炭素  ４４ｇ
フロンガス    ＣＦＣ−１２  １２１ｇ    ＣＦＣ−１１５  １５４．４５ｇ
【課題を解決しようとする手段】
【０００４】塩水を電気分解することで塩素，水素を発生させ、水を分解し、熱をも吸収する。
更に酸素発生によってオゾン層修復に役立て、発生した水素はエネルギーとして利用する。
その為には原価償却期間の短いクリーンな発電方法が必要になる。
【特許文献】特開２００８−２４８８９２号広報
【化１】
2009197335.tif 000003
【化２】
2009197335.tif 000004
【化３】
2009197335.tif 000005
【化４】
2009197335.tif 000006
結果、水を分解したので熱を吸収する。
発生した酸素はオゾン層修復に使用する。
【発明の効果】
【０００５】世界中に多く分布する海水を使用して、地球温暖化対策及びオゾン層修復に役立てる。
【発明を実施するための最良の形態】
【０００６】次世代に残す、住みやすい地球を守る手段を見つけた。【００２４】インフラ整備によって作り上げた都市部を海水面上昇による水没から守ることが出来る。
【産業上の利用可能性】
【０００７】熱を発生させた企業に費用を負担させる。【０００８】車社会等のエネルギーとして水素を活用する。【０００９】発生した酸素はオゾン層修復に利用する。
【図面の簡単な説明】
【００１０】
【図１】酸素が十分に有る場合のオゾン層生成図
【図２】酸素が欠乏している場合のオゾン層破壊図
【図３】塩水の電気分解図
【図１】
2009197335.tif 000007
【図２】
2009197335.tif 000008
【図３】
2009197335.tif 000009
(57)【要約】      （修正有）【課題】二輪車を運転する際に必要なバランス感覚や反射神経を訓練、養成できる、自動二輪車のライディング技術訓練補助器具を提供する。【解決手段】訓練者が搭乗するハンドルとシートとステップを設けた車体１を、基台２に設けた支柱２a上部の接合部へ一点の支点上で設置することで、体重移動のわずかな重心の変化にもバランスが崩れるように構成し、車体１と基台２の前後をそれぞれ弾性体３によって連結することにより、車体１が基台２上で自在に揺動可能な状態でありながら、復元性を確保することができる。【選択図】図１
2009098584.tif 000002
【特許請求の範囲】
【請求項１】
基台と使用者が乗車する車体からなり、該基台の前方部および後方部の上方部に弾性体連結具を設け、該基台に支柱を立設し、該支柱の上端部に接合部を設け、該車体の上方部には乗車用シートを設け、該車体の前方側の上方部にはハンドルを設け、該車体の側方下方部には足乗せ用ステップを設け、該車体の前方部および後方部の下方部に弾性体連結具を設け、該車体の底部に設けた接合部を前記支柱の接合部へ揺動可能な状態で載せ、該基台と該車体に設けた前方部と後方部それぞれの弾性体連結具を弾性体にて連結し、該基台上で該車体が揺動可能な状態で設置してあることを特徴とした自動二輪車のライディング技術訓練補助器具。
【発明の詳細な説明】
【技術分野】
【０００１】  本発明は、自動二輪車のライディング感覚を安全にかつ実践的に体感し、自在なライディング技術を養成することを目的としたライディング技術訓練補助器具に関する。
【背景技術】
【０００２】  従来、模擬二輪車を用いて、その搭乗者に二輪車の走行感覚を擬似的に体験させるようなライディングシミュレーション装置が各種開発されている。【０００３】
【特許文献１】特開平７−１９９７８９号公報
【特許文献２】特開平８−２５４９４４号公報
【特許文献３】特開平１１−１７４９４３号公報
【特許文献４】特開２００１−５３７１号公報
【発明の開示】
【発明が解決しようとする課題】
【０００４】  しかし、前記に開示されたものは、装置へ乗った搭乗者に対し、単に別個に撮影した映像を一方的にモニターに映したものを見せるものや、装置自体が大掛かりなものであり車体の揺動範囲が大きく制限されているために、複雑な動きが必要とされる自動二輪車のライディングを再現、体感できるものではなかった。本発明は非常に不安定な乗り物である自動二輪車とくにオフロードバイクを運転する際に必要な全身のバランス感覚や瞬間の反射神経を体感し、養成することで未熟な運転技術による事故を防ぐために、上記の理由に鑑み、できる限りバランスが取り難く、揺動自在な自動二輪車のライディング技術訓練補助器具を提供することを目的とする。
【課題を解決するための手段】
【０００５】  上述目的を達成するため、本発明は請求項１記載の構成では、訓練者が搭乗するハンドルとシートとステップを設けた車体を、基台に設けた支柱上部の接合部へ一点の支点上で設置することで、体重移動のわずかな重心の変化にもバランスが崩れるように構成した。【０００６】  また、車体を基台の上で揺動可能な状態で維持するために、車体と基台を弾性体によって連結できるように車体ならびに基台の前部と後部へそれぞれ弾性体を連結する連結部を設け、車体と基台の前後をそれぞれ弾性体によって連結することにより、車体が基台上で自在に揺動可能な状態でありながら、復元性を確保することができる。
【発明の効果】
【０００７】  以上のように本発明によれば、訓練者が基台上に設置してある揺動自在な車体へ搭乗することで、本物に近い二輪車とくにオフロードバイクのライディングの動きを体感でき、乗車技術を訓練、養成することができる。
【実施例１】
【０００８】  以下、添付図面を参照して、本発明の実施例について説明する。勿論、下記実施例は、本発明の実施するための好ましい最良の形態を説明するに過ぎず、本発明の技術的範囲は、下記実施例そのもの（例えば、形状や材質、数量、角度等）に何ら限定されるものではない。【０００９】    図１は、実施例１に係る本発明の二輪車のライディング技術訓練補助器具を示す略斜視右図であり、この二輪車のライディング技術訓練補助器具は、車体１、基台２、弾性体３からなり、該車体１と該基台２の設置部を一点で接合することにより、該基台２に対して該車体１が自在に揺動できるように構成されたものである。【００１０】    なお、該車体と該基台の前部と後部をそれぞれ弾性体にて連結することにより、揺動自在な車体が元の位置へ復元できるように構成されたものである。【００１１】    また、図２は二輪車のライディング技術訓練補助器具における基台と車体の接合部の断面図である。
【産業上の利用可能性】
【００１２】  教習所などの、これから自動二輪車に乗り始める初心者へのライディング指導用として、また、前記初心者以外にもペーパーライダーやライディングそのものの技術の向上を考えているライダーへのライディング技術向上補助器具として利用することができる。
【図面の簡単な説明】
【００１３】
【図１】図１は、実施例１に係る本発明のライディング技術訓練補助器具を示す略斜視図である。
【図２】図２は、実施例１に係る本発明のライディング技術訓練補助器具の基台と車体の接合部の断面図である。
【図３】図３は、実施例１に係る本発明のライディング技術訓練補助器具を示す右側面図である。
【符号の説明】
【００１４】１．車体
１ａ．ハンドル
１ｂ．シート
１ｃ．ステップ
１ｄ．車体側接合部
１ｅ．車体側弾性体連結具
２．基台
２ａ．支柱
２ｃ．基台側弾性体連結具
２ｄ．支柱側接合部
３．弾性体
【図１】
2009098584.tif 000003
【図２】
2009098584.tif 000004
【図３】
2009098584.tif 000005
(57)【要約】      （修正有）【課題】不特定多数のユーザーを対象にボウリング競技のスコア管理機能をネットワーク上で提供する。 【解決手段】ボウリング競技中、もしくはボウリング競技終了後にＷｅｂブラウザ経由でスコア情報を登録し、ネットワーク上のシステムに保存する事で、後日、そのスコア情報の参照・分析を行う。また、スコア登録の機能をグループ単位で分けることによりグループ内でのスコア情報の共有や、順位付けを行うことが可能となり、ボウリング競技終了後もスコア情報を幅広く、活用する。【選択図】図１
2009098758.tif 000002
【特許請求の範囲】
【請求項１】
不特定多数のユーザーを対象にボウリングスコア管理機能をネットワーク経由で提供するボウリング競技スコア管理システム。ボウリング競技中、もしくはボウリング競技終了後にＷｅｂブラウザ経由でスコア情報を登録できる「スコア情報登録機能」を有し、システムに登録されたスコア情報は随時更新される。
【請求項２】
請求項１の機能で登録されたスコア情報を、Ｗｅｂブラウザ経由で閲覧できる機能を有する。スコア情報閲覧時には「スコア情報検索機能」を使用する事により、過去データを含め、検索条件に一致する情報を一覧表示することができる。
【請求項３】
請求項２の機能で検索された結果に対しての「スコア情報分析機能」を有する。検索結果として抽出されたスコア情報を元に集計・分析を行い「アベレージ」「ハイスコア」等の分析情報をＷｅｂブラウザ経由で確認することができる。
【請求項４】
ボウリング場の情報をＷｅｂブラウザ経由で登録できる「ロケーション情報登録機能」を有する。ボウリング場の情報（「場所」「レーン数」「レーンコンディション」等）をスコア情報と関連付ける事で、請求項３に示す「スコア情報分析機能」によりボウリング場毎、地域毎の分析結果をＷｅｂブラウザ経由で確認することができる。
【請求項５】
当システムの利用者登録を行うにあたり「グループ別ユーザー管理機能」を有する。これにより、１利用者（１競技者）が１ユーザーＩＤを用いてサークル別、試合別などのグループ別にスコア情報を管理することができる。
【請求項６】
請求項２で示す「スコア情報検索機能」、請求項３で示す「スコア情報分析機能」を使用した場合、その結果をＰＤＦ形式で出力する為の「スコア情報印刷機能」を有する。
【請求項７】
請求項１で示す「スコア情報登録機能」、請求項４で示す「ロケーション情報登録機能」、請求項５で示す「グループ別ユーザー管理機能」それぞれで登録された情報をＷｅｂブラウザ経由で修正する機能（「スコア情報修正機能」「ロケーション情報修正機能」「グループ情報修正機能」「ユーザー情報修正機能」）を有する。
【発明の詳細な説明】
【技術分野】
【０００１】
本発明は、不特定多数のユーザーを対象にボウリング競技のスコア管理機能をネットワーク上で提供するものである。
【背景技術】
【０００２】
ボウリング競技のスコア情報は競技終了後、ボウリング場よりプレーヤー毎に紙媒体で呈示される為、スコア情報の管理はプレーヤー毎に紙媒体を元に行い、管理・分析において自由度の低い形態をとらなければならない。また、試合主催者などの手元には各プレーヤーのスコア情報が残らない為、後からスコア情報の集計を行うことは困難である。
【特許文献１】参考文献は特になし。
【非特許文献１】参考文献は特になし。
【発明の開示】
【発明が解決しようとする課題】
【０００３】
ボウリング場より紙媒体で呈示されたボウリングスコア情報の電子データ化を行い、管理を簡素化する事を課題とする。
【０００４】
紙媒体で呈示されたスコアシートの内容を電子データとして管理するには、新たなフォームの作成を行い、電子データへ入力する必要がある。その際の時間と手間を軽減することを課題とする。
【０００５】
紙媒体で呈示されたスコアシートの内容を元に過去の競技スコアを参照・分析するには時間と手間がかかる。その際にかかる時間と手間を軽減し、分析結果の情報提供を行うことを課題とする。
【０００６】
紙媒体で呈示されたスコアシートの内容を元に参照・分析を行った場合、その結果を紙媒体へ出力するには、新たに紙への転記、もしくは、電子媒体への入力後にプリントアウトする必要がある。その際にかかる時間と手間を軽減し、電子データとして蓄積された情報を容易にプリントアウトできるようにする事を課題とする。
【課題を解決するための手段】
【０００７】
競技中もしくは、競技後、Ｗｅｂブラウザ経由で「ボウリングスコア情報」の登録を行える機能を提供する。入力されたスコア情報は１ゲーム単位で当システム上のデータベースへ登録され、参照・分析・出力の元データとして使用される。
【０００８】
データベースに登録されたスコア情報をＷｅｂブラウザ経由で検索・表示する機能を提供する。検索条件として指定された条件（「ゲームプレイ日付」「ゲームプレイ場所」「ストライク回数」「スペアー回数」「スプリット回数」「ノーヘッド回数」「オープンフレーム回数」「ガター回数」「アベレージ」「ハイゲーム」「トータルスコア」等）を元に該当するスコア情報を画面上に表示する。
【０００９】
データベースに登録されたスコア情報を元にスコア情報の分析を行い、分析結果情報（「ストライク回数」「スペアー回数」「スプリット回数」「ノーヘッド回数」「オープンフレーム回数」「ガター回数」「アベレージ」「ハイゲーム」「トータルスコア」等）を画面上に表示する。
【００１０】
ボウリング場の情報（「場所」「総レーン数」「レーンコンディション」等）をロケーション情報として登録する事により、スコア情報分析時にボウリング場毎、地域毎での分析を可能とする。
【００１１】
スコア情報をグループ、ユーザー単位で管理する為、グループ管理者は「グループ情報」の登録を行う。各グループに所属するユーザーへのユーザー登録依頼は、グループ管理者から行い、その際に配信される「ユーザー登録依頼メール」の内容に従い、ユーザー情報の登録を行う。これにより１ユーザーが複数のグループに所属している場合のスコア管理を可能にする。
【００１２】
画面上に表示されたスコア情報・分析結果情報をＰＤＦ形式で出力し、プリントアウトできる機能を提供する。
【００１３】
データベース上に登録された「ボウリングスコア情報」「ロケーション情報」「グループ情報」「ユーザー情報」それぞれに対しての修正機能を提供する。
【発明の効果】
【００１４】
スコア情報をグループ単位で行える為、サークル、試合、コンペなどの単位でスコア情報の管理を行うことが可能となり、順位付け、統計情報作成などのスコア管理者の作業軽減の助けとなる。
【００１５】
ボウリングプレーヤーが自身の過去スコア情報の分析結果を参照することにより、上達状況の把握や、ゲームにおける課題を見出す助けとなる。
【００１６】
ボウリング競技終了後にボウリング場より呈示される紙媒体でのスコアシート量を削減することにより、利用資源の削減を行える。
【図面の簡単な説明】
【００１７】
【図１】ボウリングスコア管理システムの機器構成を示す簡易ネットワーク図。
【００１８】
【図２】ボウリングスコア管理システムの全体機能を示すユースケース図。
【図１】
2009098758.tif 000003
【図２】
2009098758.tif 000004
(57)【要約】【課題】装用中におけるメガネフレームのずれを防ぐことはむずかしく、激しい運動や振動を伴う作業、あるいは高温多湿の環境下では特にその保持が困難であった。【構成】メガネフレーム及びその部品の皮膚や頭髪に接触する箇所の表面に珪素架橋が可能な液状フッ素ゴムを塗布し、硬化させて極薄のフッ素ゴム膜を形成せしめ、ゴム質特有のねっとりとした摩擦力の大きい表面特性により、装用中のずれを防止した。【選択図】  図１
2009098406.tif 000002
【特許請求の範囲】
【請求項１】
皮膚や頭髪に接触する箇所の表面に珪素架橋が可能な液状フッ素ゴムを塗布し、硬化させて極薄のフッ素ゴム膜を形成せしめたことを特徴とするメガネフレーム及びその部品。
【請求項２】
メガネフレームの部品がノーズパッドであることを特徴とする請求項１記載のメガネフレーム及びその部品。
【請求項３】
メガネフレームの部品がテンプルの耳掛け部であることを特徴とする請求項１記載のメガネフレーム及びその部品。
【発明の詳細な説明】
【技術分野】
【０００１】
この発明はメガネフレーム及びその部品、詳しくは、すべり止め機能にすぐれたメガネフレーム及びその部品に関するものである。
【背景技術】
【０００２】
メガネフレームは、メガネレンズを装用者の顔面の正しい位置に保持する機能を有する部材であり、視力矯正の為に極めて重要な働きをするものであることは言うまでもない。
【特許文献１】なし
【非特許文献１】なし
【発明の開示】
【発明が解決しようとする課題】
【０００３】
メガネフレームは、メガネ装用者の鼻と耳とで保持する様になっているが、装用中にズレやすく、激しい運動中や振動の加わる作業中、あるいは高温多湿の環境下などでは、メガネフレームが正しい装用位置からズレてしまい、位置の保持に苦労することは日常多く経験する処である。
【０００４】
装用中のメガネフレームのズレを防ぐ方策としては、ノーズパッドやテンプルの耳掛け部などの皮膚接触箇所をすべりにくくすることが有効であることは従来から知られており、ノーズパッドやテンプルの耳掛け部の表面に軟質シリコーン樹脂層を形成させて、すべりにくくする試みもなされており、一部では製品化もされている。
【０００５】
しかしながら、この軟質シリコーン樹脂層の形成は、専用の金型を用いた射出成形の手法で行われており、大変コストがかかると共に、シリコーン樹脂には、水分や汗、脂が透過する性質があるので、装用中にシリコーン樹脂層表面から水分や汗、脂がシリコーン樹脂層内部に浸透し、シリコーン樹脂層とノーズパッド本体表面や耳掛け部本体表面との間に滞留し、シリコーン樹脂層をはがれさせてしまう事態が発生しやすく、耐久性において問題があった。又、水分や汗、脂には汚れが含まれているので、これらがシリコーン樹脂層内部に浸透すると、ノースパッドや耳掛け部が汚く黄変してしまい、外観上衛生上からも好ましいものではなかった。
【０００６】
本発明者は、上記軟質シリコーン樹脂層に匹敵するすべり止め機能を持ちながら、耐久性にすぐれ、はがれ現象が起きるおそれがなく、汚れも防ぐことが出来、しかも製造コストが低い、すべり止め機能にすぐれたメガネフレーム及びその部品を実現すべく鋭意研究を行った結果、今回これを実現することに成功し、本発明として、ここに提案するものである。
【課題を解決するための手段】
【０００７】
メガネフレームやその部品の皮膚や頭髪に接触する箇所の表面に、珪素架橋が可能な液状フッ素ゴムを塗布し、硬化させて極薄のフッ素ゴム膜を形成せしめることにより、上記課題を解決した。
【発明の効果】
【０００８】
メガネフレームを装用した際、ゴム質特有のねっとりとした摩擦力の大きな表面特性によってずれを防ぎ、激しい運動や振動、高温多湿の発汗現象の激しい環境下においても快適に装用させることが出来ると共に、フッ素の化学特性により、汚れを含んだ水分や汗、脂の内部への浸透を防ぎ、はがれや黄変のおそれがなく、高い耐久性を有する。又、専用の金型など全く必要とせず、低コストで製造することが出来、コスト面においてもすぐれている。
【発明を実施するための最良の形態】
【０００９】
メガネフレームやその部品の皮膚や頭髪に接する部分に珪素架橋が可能な液状フッ素ゴムを塗布し、極薄のフッ素ゴム膜を形成せしめた点に最大の特徴が存する。
【実施例１】
【００１０】
図１はこの発明に係るメガネフレームの斜視図、図２はメガネフレームの部品の一つであるノーズパッドの拡大斜視図であり、図３は同じく耳掛け部の拡大斜視図である。図中１はメガネフレーム、２はノーズパッド、３はテンプル４に接続されている耳掛け部であり、ノーズパッド２及び耳掛け部３はいずれも硬質合成樹脂をその素材としている。そして、これらノーズパッド２及び耳掛け部３の少なくとも装用者の皮膚や頭髪に接する箇所には、珪素架橋が可能な液状フッ素ゴムが塗布されている。この珪素架橋が可能な液状フッ素ゴムの塗布は、スプレーやハケ刷りなど適宜手段によって行われる。塗布した後、この液状フッ素ゴムからは、その中に含まれている溶剤が蒸発して硬化し、極く薄いフッ素ゴム膜５となる。このフッ素ゴム膜５は、ゴム状物質の基本的性質であるねっとりとした摩擦力の大きな表面特性を有しており、又、耐久性、耐溶剤性、耐薬品性といったフッ素の化学特性もそのまま保持している。
【００１１】
なお、この実施例においては、フッ素ゴム膜５はノーズパッド２及びテンプル４の耳掛け部３の皮膚や頭髪に接する部分のみに形成したが、これらの部品の全面に形成したり、他の部品やメガネフレーム１の適宜箇所に形成しても良いことはもちろんである。
【００１２】
この発明に係るメガネフレーム及びその部品は上記の通りの構成を有するものであり、これらを装用した場合、フッ素ゴム膜５の有するねっとりとした摩擦力の大きな表面特性によってメガネフレーム１のずれを防ぎ、激しい運動や振動、高温多湿の発汗現象の激しい環境下においてもメガネフレーム１を快適に装用させることが出来ると共に、フッ素の化学特性により汚れを含んだ水分や汗、脂の内部への浸透を防ぎ、はがれや黄変のおそれがなく、高い耐久性を有する。又、専用の金型など全く必要とせず、低コストで製造することが出来、コスト面においてもすぐれている。
【産業上の利用可能性】
【００１３】
視力矯正用だけではなく、サングラスなど各種メガネフレームにも広く利用可能である。
【図面の簡単な説明】
【００１４】
【図１】この発明に係るメガネフレームの斜視図。
【図２】メガネフレームの部品の一つであるノーズパッドの拡大斜視図。
【図３】同じく、テンプルの耳掛け部の拡大側面図。
【符号の説明】
【００１５】
１    メガネフレーム
２    ノーズパッド
３    耳掛け部
４    テンプル
５    フッ素ゴム膜
【図１】
2009098406.tif 000003
【図２】
2009098406.tif 000004
【図３】
2009098406.tif 000005
(57)【要約】【課題】  この発明は安価で高性能なＩＣ動作検査を可能とするＩＣソケット構造に関するものである。【解決手段】  ＩＣソケット内にもう一つの接続端子をもうけ、これを交換若しくは補修する事により安価で高信頼のＩＣソケット基板を提供する。【選択図】図１
2009098107.tif 000002
【特許請求の範囲】
【請求項１】
ＩＣの機能を試験、検査するＩＣソケットにおいてＩＣ端子部、若しくはＩＣの電気信号取出し部と勘合するＩＣソケット接続部とプリント基板接続部の間にもう一つの電気信号接続部を持つ事を特徴とするＩＣソケット。
【請求項２】
ＩＣソケット内もう一つの電気信号接続部はＩＣソケットハウジング内端子を２つの端子部品によって構成されるが、この端子は１本ずつ単独で取外し可能、若しくは多数端子をまとめて保持板（Ｉｎｔｅｒｐｏｓｅｒ）に取り付け一括取外しを可能な形式にしたＩＣソケット。
【発明の詳細な説明】
【発明の詳細な説明】
【技術分野】  本発明は、ＩＣの動作試験及び耐久試験に使用されるＩＣソケットである。
【背景技術】  現在ＩＣの機能試験、検査はＩＣソケットをプリント基板に実装して行っており、ＩＣソケットの端子部が接触不良を起こせばプリント基板毎廃棄となる。プリント基板もＩＣの高温ストレス試験においてはＦＲ５等の基板材料を使用したりもするので、その費用は高価なものである。
【発明が解決しようとする課題】
ＩＣ機能を試験、検査する部品はＩＣソケット、取付プリント基板、ＩＣソケット実装から構成されておりＩＣソケットのみではないが、ＩＣの端子部とＩＣソケットの端子部の接触不良が発生するとこの部品総てを廃棄としなければならず、費用の点で高価なものとなる、この端子部のみ（Ｉｎｔｅｒｐｏｓｅｒ）を交換することにより、他の部品の繰返し使用を可能とし費用低減を図る。
現在ＩＣソケットはＢＧＡボールをつまむようなコンタクトタイプが多いが、このタイプは接触部の摺動が無い為に錫の転写は少ないが表面の酸化層により接触不良を起し易い、本考案のＩｎｔｅｒｐｏｓｅｒは交換を前提としている為接触部に摺動構造を採用する事が出来、酸化層を除去する設計が可能となり、より安定した接触が得られる。
【発明を実施するための最良の形態】  近年ＩＣに要求される特性として高速化、小型化、ローコスト化等が要求されており、更に環境への考慮から廃棄物の減少も大事な事項となってきている、これらの観点から、繰返し使用可能なＩＣの検査、試験基板が必要になってきている。ＩＣ端子部は錫鍍金、錫バンプ等が使用されＩＣソケット端子部表面処理部にその錫が転写して接触不良を起す事が多く、その為に実装基板毎廃棄と言うのは非常にコストのかかる事である、この実装基板内の錫転写により接触不良を起した部品のみ交換、若しくは転写した錫を剥離し再鍍金する事で機能を回復させ再利用すると言うことはコスト、廃棄物の低減になる。
Ｉｎｔｅｒｐｏｓｅｒは通常ばね特性の良い銅合金を使用しているので、ＩＣ端子部接触の為のばねを構成するのみならず、プリント基板接続端子と接触するばね構造も構成する方が材料特性上良い。このＩｎｔｅｒｐｏｓｅｒ以外は従来のＩＣソケット、プリント基板と同じ設計、材料を使用する事が可能であり、このＩｎｔｅｒｐｏｓｅｒ端子の表面処理は金鍍金を行うが他の鍍金でもかまわない。
【発明の効果】
交換可能なＩｎｔｅｒｐｏｓｅｒ端子を使用する事によりＩＣ検査のコスト低減が可能となるだけでなく、安定した接触抵抗測定が可能となり信頼性の高い試験が可能となる。
【図面の簡単な説明】
【図１】本発明による、ＢＧＡタイプＩＣ、ＩＣソケット及びＩｎｔｅｒｐｏｅｒの断面図例。
【図２】本発明による、ＢＧＡタイプＩＣ、ＩＣソケット及びＩｎｔｅｒｐｏｓｅｒの断面図例。
【符合の説明】
１  ＢＧＡタイプＩＣ
２  Ｉｎｔｅｒｐｏｓｅｒ端子
３  Ｉｎｔｅｒｐｏｓｅｒ端子保持板
４  ＩＣソケットハウジング
５  ＩＣソケット端子
６  ＩＣソケット取付プリント基板
【図１】
2009098107.tif 000003
【図２】
2009098107.tif 000004
(57)【要約】【課題】冷却ファンの組み付け作業性及び耐久性を向上させることができる冷却ファン付電動機を提供すること。【解決手段】冷却ファン１とモータ２の回転軸２ａとをねじ締結３（螺合）することで固定されている。ねじは、冷却ファン１の内周面に形成されたナイロン樹脂内周部１ａに直接設けられ、モータ２の回転軸２ａの回転方向に対し、締り勝手としている。【選択図】図１
2009213205.tif 000002
【特許請求の範囲】
【請求項１】
回転軸に冷却ファンを軸支して構成される冷却ファン付電動機であって、前記回転軸と冷却ファンとは螺合状態で一体化されていることを特徴とする冷却ファン付電動機。
【請求項２】
前記冷却ファンは、前記回転軸に対して前記回転軸の回転方向に締まり勝手となるように螺合されていることを特徴とする請求項１に記載の冷却ファン付電動機。
【請求項３】
前記冷却ファンのうち前記回転軸と螺合する内周部は、樹脂層が形成されていることを特徴とする請求項１または請求項２に記載の冷却ファン付電動機。
【請求項４】
前記樹脂層は、ナイロン樹脂により形成されていることを特徴とする請求項３に記載の冷却ファン付電動機。
【発明の詳細な説明】
【技術分野】
【０００１】
本発明は冷却ファン付電動機に関し、特に、冷却ファンの取り付け構造に関する。
【背景技術】
【０００２】
電動機回転軸への冷却ファンの取り付け構造として、例えば特許文献1に記載されているものが公知である。これは、内周面にガラス入りナイロン樹脂が成形された冷却ファンを、外周に回り止めのナーリングが形成されたモータの回転軸に圧入して固定している。ナーリングは、その径方向の高さは一般的に0.1ｍｍ〜0.2ｍｍ程度である。
【特許文献１】実開平５−４１３７８号公報
【発明の開示】
【発明が解決しようとする課題】
【０００３】
上記従来構成では、モータ使用時の熱膨張や、ナイロン樹脂の自然吸湿等によって、ナーリングの高さを超えて、冷却ファンの内周面に形成されているナイロン樹脂が広がってしまい、冷却ファンが空転しやすくなる問題が発生する。また、冷却ファンを回転軸に圧入する際に傾きが生ずると、樹脂製である冷却ファンは、ナーリングの影響でナイロン樹脂内周部が割れてしまう問題が発生する。
【０００４】
本発明は、上記事情に鑑みてなされたものであり、その目的は、冷却ファンの組み付け作業性及び耐久性を向上させることができる冷却ファン付電動機を提供することである。
【課題を解決するための手段】
【０００５】
上記目的を達成するために、請求項１の発明では、回転軸に冷却ファンを軸支して構成される冷却ファン付電動機であって、回転軸と冷却ファンとは螺合状態で一体化されていることを特徴としている。
【０００６】
また、請求項２の発明では、冷却ファンは、回転軸に対して回転軸の回転方向に締まり勝手となるように螺合されていることを特徴としている。
【０００７】
請求項３の発明では、冷却ファンのうち回転軸と螺合する内周部は、樹脂層が形成されていることを特徴としている。
【０００８】
請求項４の発明では、樹脂層は、ナイロン樹脂により形成されていることを特徴としている。
【発明の効果】
【０００９】
本発明によれば、冷却ファンの圧入作業時の注意が解消され、電動機の使用環境および、冷却ファン取り付けの作業環境の影響を受けず、冷却ファンの空転が発生しないために、信頼性の高い電動機用の冷却ファン取り付け構造を提供することができる。
【発明を実施するための最良の形態】
【００１０】
本実施形態に係る冷却ファン付電動機について図１を参照して説明する。冷却ファン１とモータ２の回転軸２ａとは、ねじ締結３（螺合）することで固定されている。ねじは、冷却ファン１の内周面に形成されている樹脂部１ａ（ナイロン樹脂部１ａ）に直接設けられ、モータ２の回転軸２ａの回転方向に対し、締り勝手としている。
【００１１】
モータ２の回転軸２ａは、段付として、冷却ファン１の突当て２ｃを設けている。また、回転軸２ａのねじは、従来のナーリングと同様に、転造によるねじ形成を行い、コストアプせずに提供できる回転軸としている。
【００１２】
通常、ナーリングの山の高さよりも、ねじ山の高さの方が高いため、モータ２の使用時の熱膨張や、ナイロン樹脂の自然吸湿等による、冷却ファン１のナイロン樹脂内周部１ａの広がりが起こっても、ねじ山の高さまでは広がらず、モータ２の空転はおきない。また、圧入作業が不要となるため、圧入作業時の不注意で傾き圧入された際の、冷却ファン１のナイロン樹脂内周部１ａが割れてしまう問題も発生しなくなる。
【００１３】
本実施形態によれば、冷却ファン１の圧入作業時の注意が解消され、モータ２の使用環境および、冷却ファン１の取り付けにおける作業環境の影響を受けず、冷却ファン１の空転が発生しないために、信頼性の高い電動機用の冷却ファン取り付け構造を提供することができる。
【図面の簡単な説明】
【００１４】
【図１】本実施形態に係る電動機用冷却ファンの取り付け構造を示した断面図
【符号の説明】
【００１５】
１…冷却ファン、１ａ…ナイロン樹脂内周部、２…モータ、２ａ…回転軸、２ｂ…ナーリング、２ｃ…突当て、３…ねじ締結
【図１】
2009213205.tif 000003